Podtech/llm-jp-corpus-v4-ja_patent huggingface dataset:
(57)【要約】【課題】  観賞用シュガークラフトは湿気により乾燥剤を使用しても美観を損なわずに長期保存することが困難であり、固定が難しいことから持ち運び、梱包及び発送が安易ではなかった。【解決手段】  シュガークラフトの土台8をくりぬき、シュガークラフト本体７をのせ、乾燥剤９を外観から見えないようにはめ込んだ観賞用シュガークラフトを、突起を設けた容器の底に刺して固定し、容器のふた10で接着剤などを用いて密閉することにより、美観を損なわず、湿気を避け、持ち運びや梱包、発送が容易になることを特徴とする。【選択図】  図４
2008048672.tif 000002
【特許請求の範囲】
【請求項１】
開口部を有する透明ガラス容器内に乾燥剤と、観賞用シュガークラフトを封入し、透明ガラス容器と観賞用シュガークラフトを固定し、透明ガラス容器の開口部をふたにより封止し、接着剤または嵌着剤をその挟着部で開口部周縁部を侠着し、ふたを密封することを特徴とする観賞用シュガークラフトの製造方法。
【請求項２】
請求項1に記載の観賞用シュガークラフトの製造方法において、透明ガラス容器内に金属・ガラス・プラスチックなどの突起を接着し、または、シュガークラフトを直接接着して観賞用シュガークラフトを固定する観賞用シュガークラフトの製造方法。
【請求項３】
請求項1に記載の観賞用シュガークラフトの製造方法において、シュガークラフトの土台をくりぬき、乾燥させた後、乾燥剤を取り付けることを特徴とする観賞用シュガークラフトの製造方法。
【発明の詳細な説明】
【技術分野】
【０００１】
この発明は、観賞用シュガークラフト（シュガーケーキ、シュガーアート、シュガーフラワーも同類）などの作品保存に関する。
【背景技術】
【０００２】
これまで、シュガークラフトは食用として用いられていた（図１）ため、衛生上フルーツケーキ底面１を、土台4で覆う必要があった。また、食品のため長期保存の必要性はなく、一方で、製作に時間を要するシュガークラフトを食品としてのみならず、アートと捉えフルーツケーキ１の代わりにスチロール５を使用して作品を保存するユーザーが増えているが、専用の容器がなく、紙箱、プラスチックケース、クリアーケースなどを代用していた（図３）。
【０００３】
シュガークラフトに使用する、シュガーペースト、ロイヤルアイシング、フラワーペースト、パスティヤージュなどは乾燥すると硬くなるが、もろく、持ち運びにも注意を要し、パッキンなどでも破損してしまう。また、図２の土台４とスチロール5の接着はロイヤルアイシング、シュガーグルー、水、酒などでするため、土台４とケースを固定してもデコレーションの重さで４と５で外れてしまい、固定が出来ず、発送などは難しい。
【０００４】
乾燥させた後も、砂糖が原料のため、湿気に弱く、図2のように土台4でスチロール５を覆っているため、乾燥剤はケースに入れて保存していた。しかし、ケースに入れても乾燥剤が見えてしまい、作品の美観を損ね、また、密閉されていないため定期的に乾燥剤を交換しなければならず、手間がかかり、長期保存は難しい。
【０００５】
なお、本願発明に関連する公知技術として次の特許文献１及び２をあげることが出来る。
【特許文献１】特願２００１−１８４１１０  特開２００２−３３５８６４
【特許文献２】特願平９−３３１０９９    特開平１１−１４６７６０
【発明の開示】
【発明が解決しようとする課題】
【０００６】
従来技術によれば、シュガークラフトは砂糖が原料のため湿気に弱く、乾燥剤を用いても専用容器がないため、乾燥剤が見える状態で観賞しなければならず、美観を損ねており、密閉されていないため乾燥剤を定期的に交換するなど保存に手間がかかり、かつ、外からの湿気の進入により長期保存が難しい。
【０００７】
また、乾燥後も固定が困難、衝撃に弱いことから発送、持ち運びが難しい。
【０００８】
そこで、本発明の目的は、シュガークラフトを観賞用とし、美観を損ねることなく、長期保存、発送が容易に出来るようにする観賞用シュガークラフトの制作方法である。
【課題を解決するための手段】
【０００９】
以上の課題を解決するために、シュガークラフトの底面をくりぬき、作品に乾燥剤を埋め込み、外観からは乾燥剤が見えないようにし、容器を密閉することにより、美観を保ちながら、湿気を防ぎ、長期保存が出来るようにした。
【００１０】
上述に加えて、容器の底面に突起を設け、観賞用シュガークラフトが固定できることにより、持ち運びや発送を容易にしたことを特徴とする。
【発明の効果】
【００１１】
以上説明したように本発明では、シュガークラフトを観賞用とし、シュガークラフトの土台をくりぬき、乾燥剤を埋め込み、保存容器に密閉することにより、外観からは乾燥剤が見えず、美観を損ねずに外部から進入する湿気を避け、長期保存ができること、保存容器の底面に突起を設け、シュガークラフトを固定したことにより、持ち運び及び発送が容易になることに有効である。
【発明を実施するための最良の形態】
【００１２】
以下、この発明の実施形態を図面に基づき詳細に説明する。
【００１３】
図４、５は本発明の第１の実施形態に係り、図４はその外観図、図５は本発明のシュガークラフトの断面図である。シュガークラフト土台７はシュガーペースト・ロイヤルアイシング・フラワーペースト・パスティラージュなどでスチロールを覆ったものである。容器のふた10はガラス製または、プラスチック製などであり、この底面11には、突起12が一体的に設けられている。
【００１４】
本発明は、乾燥剤が外観から見えないように土台8の中心をくりぬき、その上に7をのせてロイヤルアイシングなどで接着し、乾燥後、乾燥剤9をはめこむ。容器の底11に、突起12を設け、シュガークラフト本体7の中のスチロール13に刺し固定する。容器のふた10を容器の底11に接着剤や嵌着剤などを用いて密閉する。
【００１５】
「実施形態の効果」
この実施形態によれば、本体３の乾燥剤の働き及び、容器を密閉することにより湿気防止になる。したがって、保存しやすい。また、突起１２により作品の固定ができ、横転にも耐えられ、梱包しやすく発送しやすくなる。
【００１６】
「他の実施形態」
図５にもあるようなドーム型のみならず、密閉できる容器かつ、シュガークラフトが固定できる円柱型、直方体、額などでも利用可能である。
【図面の簡単な説明】
【００１７】
【図１】食品としてのシュガークラフトの断面図である。
【図２】これまでのアートと捉えたシュガークラフトの断面図である。
【図３】これまでの製作方法においての保存容器の外観図である。
【図４】本発明の第１の実施形態に係る外観図である。
【図５】図３観賞用シュガークラフトの断面図である。
【符号の説明】
【００１８】
１．フルーツケーキ
２．マジパン
３．シュガーペースト・ロイヤルアイシング・パスティヤージュなど
４．土台
５．及び13．スチロール
６．クリアーケース、プラスチックケースなどの容器
７．シュガークラフト本体
８．シュガークラフト土台
９．乾燥剤
10．容器のふた
11．容器の底
12．突起
【図１】
2008048672.tif 000003
【図２】
2008048672.tif 000004
【図３】
2008048672.tif 000005
【図４】
2008048672.tif 000006
【図５】
2008048672.tif 000007
(57)【要約】【課題】操作部品を目視できなくても正確な操作が可能なヘッドマウントディスプレイを提供する。【解決手段】支持アーム５の後端部は、可撓性部材５ａで構成されており、この部分に力を加えることにより曲がるようになっている。そして、曲げの方向は、可撓性部材５ａ中に埋め込まれるか可撓性部材５ａに貼り付けられた歪センサ（図示せず）により検出される。よって、可撓性部材５ａの曲げの方向を例えば４分割、８分割等に分けて検出し、所定の分割方向の曲げが検出されたとき、それに対応する操作入力がなされたものとすることにより、押しボタンスイッチ等の操作部品の代わりに使用できる。【選択図】  図１
2008048232.tif 000002
【特許請求の範囲】
【請求項１】
連結部により連結された２つのヘッドホーン部と、前記ヘッドホーン部の一つに取り付けられた支持アームと、前記支持アームの先端部に取り付けられ、使用者の片眼に映像を表示する表示部とを有するヘッドマウントディスプレイであって、当該前記支持アームの後端部が可撓性を有し、当該後端部の曲げの方向に応じて、所定の操作入力が行われることを特徴とするヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する頭部装着型の映像表示装置が種々提案され、ヘッドマウントディスプレイと呼ばれている。このようなヘッドマウントディスプレイの例は、例えばＷＯ２００４／０６１５１９Ａ１公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。
【０００４】
このようなヘッドマウントディスプレイを操作する操作部品（スイッチ等）は、頭部に装着される本体部と別のコントロールボックス等に設けてもよいが、その場合、コントロールボックスと本体部をつなぐケーブル等が必要となり、操作の邪魔になると言う問題点がある。そこで、これらの操作部品を、頭部に装着されるヘッドマウントディスプレイ本体部のヘッドホーン部に取り付ける試みがなされている。
【特許文献１】ＷＯ２００４／０６１５１９Ａ１公報
【発明の開示】
【発明が解決しようとする課題】
【０００５】
片眼用ヘッドマウントディスプレイにおいては、連結部により連結された２つのヘッドホーン部と、前記ヘッドホーン部の一つに取り付けられた支持アームと、前記支持アームの先端部に取り付けられ、使用者の片眼に映像を表示する表示部とを有するものが主流となりつつある。
【０００６】
このようなヘッドマウントディスプレイにおいては、例えばヘッドホーン部に操作部品を取り付けた場合、操作部品の取り付け位置を目視することができず、手探りでの操作になるので、操作が正確に行われない可能性があるという問題点がある。
【０００７】
本発明はこのような事情に鑑みてなされたもので、操作部品を目視できなくても正確な操作が可能なヘッドマウントディスプレイを提供することを課題とする。
【課題を解決するための手段】
【０００８】
前記課題は、連結部により連結された２つのヘッドホーン部と、前記ヘッドホーン部の一つに取り付けられた支持アームと、前記支持アームの先端部に取り付けられ、使用者の片眼に映像を表示する表示部とを有するヘッドマウントディスプレイであって、当該前記支持アームの後端部が可撓性を有し、当該後端部の曲げの方向に応じて、所定の操作入力が行われることを特徴とするヘッドマウントディスプレイにより解決される。
【発明の効果】
【０００９】
本発明によれば、操作部品を目視できなくても正確な操作が可能なヘッドマウントディスプレイを提供することができる。
【発明を実施するための最良の形態】
【００１０】
以下、本発明の実施の形態の例を、図を用いて説明する。図１は、本発明の実施の形態の１例であるヘッドマウントディスプレイの概要を示す図である。ヘッドマウントディスプレイ１においては、ヘッドホーン２、３が、連結部４により連結されており、連結部４は弾性を有している。装着時には、ヘッドホーン２、３により両耳を挟んで連結部４の弾性により押さえつける形で装着する。ヘッドホーン３には、支持アーム５が装着時の左右方向を回動軸として回動可能なように取り付けられており、その先端部には、使用者の眼に映像を表示する表示部６が取り付けられている。なお、支持アーム５は、前後にスライド可能とされている。
【００１１】
このヘッドマウントディスプレイを右眼用として使用する場合には、支持アーム５を図１に示す位置から回動軸７を中心として１８０°回動させ、装着の左右を逆転することにより、右眼用として使用可能となる。
【００１２】
支持アーム５の後端部は、可撓性部材５ａで構成されており、この部分に力を加えることにより曲がるようになっている。そして、曲げの方向は、可撓性部材５ａ中に埋め込まれるか可撓性部材５ａに貼り付けられた歪センサ（図示せず）により検出される。
【００１３】
よって、可撓性部材５ａの曲げの方向を例えば４分割、８分割等に分けて検出し、所定の分割方向の曲げが検出されたとき、それに対応する操作入力がなされたものとすることにより、押しボタンスイッチ等の操作部品の代わりに使用できる。
【００１４】
支持アーム５の後端部は、手探りでも十分に探し出すことができ、かつ、可撓性部材５ａを曲げることにより所定の入力が行えるので、ヘッドホーンに取り付けられた押しボタンスイッチ等を操作する場合に比して、操作が簡単で各確実に行える。
【図面の簡単な説明】
【００１５】
【図１】本発明の実施の形態の１例であるヘッドマウントディスプレイの概要を示す図である。
【符号の説明】
【００１６】
１…ヘッドマウントディスプレイ、２…ヘッドホーン、３…ヘッドホーン、４…連結部、５…支持アーム、５ａ…可撓性部材、６…表示部、７…回動軸
【図１】
2008048232.tif 000003
(57)【要約】【課題】左右を入れ替えた場合でも操作部品の位置が変わらず、かつ、親指で操作し易いヘッドマウントディスプレイを提供する。【解決手段】支持アーム５の後端部分を示す図である。支持アーム５の後端部には、操作部品である十字キー８が取り付けられており、図に示すように、手の親指で操作可能とされている。ヘッドマウントディスプレイの左右を入れ替えても、十字キー８が取り付けられている位置が変わらないので、使用者はまごつくことなく十字キー８の操作を行うことができる。【選択図】  図２
2008048231.tif 000002
【特許請求の範囲】
【請求項１】
連結部により連結された２つのヘッドホーン部と、前記ヘッドホーン部の一つに、装着時の左右方向を回動軸として回動可能に取り付けられた支持アームと、前記支持アームの先端部に取り付けられ、使用者の片眼に映像を表示する表示部とを有し、前記支持アームを約１８０°回動させ、かつ、前記ヘッドホーンの装着の左右を入れ替えることにより、映像を表示する眼の左右を入れ替える機能を有するヘッドマウントディスプレイであって、当該ヘッドマウントディスプレイ又はこれに接続された装置を制御する操作部品が、前記支持アームの後端部分に設けられていることを特徴とするヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する頭部装着型の映像表示装置が種々提案され、ヘッドマウントディスプレイと呼ばれている。このようなヘッドマウントディスプレイの例は、例えばＷＯ２００４／０６１５１９Ａ１公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。
【０００４】
このようなヘッドマウントディスプレイを操作する操作部品（スイッチ等）は、頭部に装着される本体部と別のコントロールボックス等に設けてもよいが、その場合、コントロールボックスと本体部をつなぐケーブル等が必要となり、操作の邪魔になると言う問題点がある。そこで、これらの操作部品を、頭部に装着されるヘッドマウントディスプレイ本体部のヘッドホーン部に取り付ける試みがなされている。
【特許文献１】ＷＯ２００４／０６１５１９Ａ１公報
【発明の開示】
【発明が解決しようとする課題】
【０００５】
片眼用ヘッドマウントディスプレイにおいては、連結部により連結された２つのヘッドホーン部と、前記ヘッドホーン部の一つに、装着時の左右方向を回動軸として回動可能に取り付けられた支持アームと、前記支持アームの先端部に取り付けられ、使用者の片眼に映像を表示する表示部とを有し、前記支持アームを約１８０°回動させ、かつ、前記ヘッドホーンの装着の左右を入れ替えることにより、映像を表示する眼の左右を入れ替える機能を有するものが主流となりつつある。
【０００６】
このようなヘッドマウントディスプレイにおいては、例えばヘッドホーン部に操作部品を取り付けた場合、ヘッドマウントディスプレイを左眼用として使用する場合と右眼用として使用する場合とで、操作部品の取り付け位置の前後が入れ替わってしまい。使用者が操作しにくいという問題点がある。
【０００７】
又、トラックボール、ダイアル、十字キー等は、親指で操作するのが一般的であるが、前述のような場合、親指で操作しにくいという問題点がある。
【０００８】
本発明はこのような事情に鑑みてなされたもので、左右を入れ替えた場合でも操作部品の位置が変わらず、かつ、親指で操作し易いヘッドマウントディスプレイを提供することを課題とする。
【課題を解決するための手段】
【０００９】
前記課題は、連結部により連結された２つのヘッドホーン部と、前記ヘッドホーン部の一つに、装着時の左右方向を回動軸として回動可能に取り付けられた支持アームと、前記支持アームの先端部に取り付けられ、使用者の片眼に映像を表示する表示部とを有し、前記支持アームを約１８０°回動させ、かつ、前記ヘッドホーンの装着の左右を入れ替えることにより、映像を表示する眼の左右を入れ替える機能を有するヘッドマウントディスプレイであって、当該ヘッドマウントディスプレイ又はこれに接続された装置を制御する操作部品が、前記支持アームの後端部分に設けられていることを特徴とするヘッドマウントディスプレイにより解決される。
【発明の効果】
【００１０】
本発明によれば、左右を入れ替えた場合でも操作部品の位置が変わらず、かつ、親指で操作し易いヘッドマウントディスプレイを提供することができる。
【発明を実施するための最良の形態】
【００１１】
以下、本発明の実施の形態の例を、図を用いて説明する。図１は、本発明の実施の形態の１例であるヘッドマウントディスプレイの概要を示す図である。ヘッドマウントディスプレイ１においては、ヘッドホーン２、３が、連結部４により連結されており、連結部４は弾性を有している。装着時には、ヘッドホーン２、３により両耳を挟んで連結部４の弾性により押さえつける形で装着する。ヘッドホーン３には、支持アーム５が装着時の左右方向を回動軸として回動可能なように取り付けられており、その先端部には、使用者の眼に映像を表示する表示部６が取り付けられている。なお、支持アーム５は、前後にスライド可能とされている。
【００１２】
このヘッドマウントディスプレイを右眼用として使用する場合には、支持アーム５を図１に示す位置から回動軸７を中心として１８０°回動させ、装着の左右を逆転することにより、右眼用として使用可能となる。
【００１３】
図２は、支持アーム５の後端部分を示す図である。支持アーム５の後端部には、操作部品である十字キー８が取り付けられており、図に示すように、手の親指で操作可能とされている。ヘッドマウントディスプレイの左右を入れ替えても、十字キー８が取り付けられている位置が変わらないので、使用者はまごつくことなく十字キー８の操作を行うことができる。ただし、左右の入れ替えにより、十字キー８の上下左右が反転するので、十字キー８の上下左右のキーに割り当てられている機能を切り替える必要がある。
【００１４】
このように、支持アーム５の後端部に取り付けるのが好ましい操作部品として、トラックボールやダイアルがある。これらは、親指で操作するのに特に適していると共に、支持アーム５の後端部に取り付け易い。もちろん、普通の押しボタンスイッチ等でも、支持アーム５の後端部に取り付けることが可能である。
【図面の簡単な説明】
【００１５】
【図１】本発明の実施の形態の１例であるヘッドマウントディスプレイの概要を示す図である。
【図２】図１に示すヘッドマウントディスプレイの支持アームの後端部を示す図である。
【符号の説明】
【００１６】
１…ヘッドマウントディスプレイ、２…ヘッドホーン、３…ヘッドホーン、４…連結部、５…支持アーム、６…表示部、７…回動軸、８…十字キー
【図１】
2008048231.tif 000003
【図２】
2008048231.tif 000004
(57)【要約】【課題】交流電動機のインバータ駆動等において、直流回路部に比較的大きな電解コンデンサが用いられているが、寿命が問題となるため、整流回路部にＰＷＭコンバータ動作をさせることにより、直流回路コンデンサを低減する方法や、マトリクスコンバータにより交流交流直接変換を行うことにより、直流コンデンサ回路を不要とした回路構成も提案されているが、前者はＰＷＭコンバータ部でのスイッチングに伴う問題があり、後者は交流スイッチング制御が複雑化するなどの課題がある。【解決手段】本発明による、交流交流電力変換装置は、交流電源からダイオード整流と同電源に同期した一定の通流幅制御を行うことにより、双方向の電力授受が可能な全波整流回路を通して電圧形インバータにより交流出力を得るため、交流電源と交流出力間でも双方向の電力授受が可能として電解コンデンサレスで構成でき整流回路部でのスイッチング問題を低減した交流交流電力変換装置【選択図】図１
2008048587.tif 000002
【特許請求の範囲】
【請求項１】
自己スイッチング素子と逆並列にダイオードを接続したスイッチングアームを用いて構成した電圧形インバータ回路による交流直流電力変換回路と、電圧形インバータ回路を用いた直流交流電力変換回路の両直流回路側を接続し、直流回路にスナバコンデンサ回路を接続して構成した交流交流電力変換回路構成において、交流電源が接続される電圧形インバータ回路のスイッチ信号として全波整流動作信号を与えて交流電源と直流回路間で順逆変換動作を可能とした交流直流電力変換回路の直流出力に接続した電圧形インバータ回路をＰＷＭ制御することにより任意の交流出力を得るて直流回路と交流出力間で逆順変換動作を可能とすることにより、交流電源と交流出力間で双方向電力授受を可能とすることを特徴とする交流交流電力変換装置。
【請求項２】
請求項１記載の交流交流電力変換装置において、コンデンサと抵抗を直列に接続したスナバコンデンサ回路を接続することを特徴とする交流交流電力変換装置。
【請求項３】
請求項１記載の交流交流電力変換装置において、コンデンサと抵抗を直列に接続し、抵抗に逆並列にダイオードを接続したスナバコンデンサ回路を接続することを特徴とする交流交流電力変換装置。
【請求項４】
請求項１〜３記載の交流交流電力変換装置において、電圧形インバータ回路を単相ブリッジ回路で構成して、単相単相交流電力変換動作をさせることを特徴とする交流交流電力変換装置。
【請求項５】
請求項１〜３記載の交流交流電力変換装置において、電圧形インバータ回路を三相ブリッジ回路で構成して、三相三相交流電力変換動作をさせることを特徴とする交流交流電力変換装置。
【請求項６】
請求項１〜５記載の交流交流電力変換装置において、交流電源が接続される電圧形インバータにおいて、ダイオードブリッジ回路で順変換整流動作をする動作区間に対応して並列に接続されたスイッチング素子にオン信号を与えて交流電源と直流回路間で全波整流順逆変換動作を可能としスイッチング回数を抑えることを特徴とする交流直流電力変換回路
【請求項７】
請求項１〜６記載の交流交流電力変換装置において、交流出力を得る電圧形インバータのＰＷＭ制御信号発生部において、必要とする交流電流が得られるように交流電流が基準電流と一致するように比較制御することを特徴とした交流交流電力変換装置。
【請求項８】
請求項１〜７記載の交流交流電力変換装置において、交流出力を得る電圧形インバータのＰＷＭ制御信号発生部において、直流回路振幅に比例した三角波と出力信号波形を比較することにより、直流電圧振幅変動による出力波形歪みへの影響を低減することを特徴とする交流交流電力変換装置。
【請求項９】
請求項１〜８記載の交流交流電力変換装置において、直流回路に電解コンデンサを接続することなく構成制御することを特徴とする交流交流電力変換装置。
【請求項１０】
請求項１〜９記載の交流交流電力変換装置において、交流出力側に交流電動機を接続して可逆加減速運転を可能とすることを特徴とする交流交流電力変換装置。
【発明の詳細な説明】
【技術分野】
【０００１】  本発明は、交流電動機を可逆可変速運転する場合、インバータの直流回路に通常必要とされる電解コンデンサを用いないでインバータを構成制御することを特徴とする交流交流電力変換装置に関する。
【背景技術】
【０００２】  インバータの寿命に電解コンデンサは大きく影響を与えるために、これを除くための対策として、交流電源から正弦波ＰＷＭコンバータ動作により直流出力を得てからＰＷＭインバータで交流出力を得る方法と、交流電源と交流出力間を交流スイッチ回路を切り替えてスイッチング制御するマトリクスコンバータ動作により交流出力を得る方法がある。【０００３】  交流電源から直流出力を得るＰＷＭコンバータ部では、ＰＷＭスイッチング制御のために、スイッチング制御回路が複雑で、スイッチング損失を伴う問題がある。【０００４】  一方、マトリックスコンバータは回路構成が複雑で、スイッチ切り替えにおける交流回路インダクタンスに蓄えられたエネルギー処理を適切に行わないと、スイッチング素子を壊すおそれがあり、交流回路をスイッチング切り替えするための制御回路、制御動作が極めて複雑である。【０００５】  さらに、マトリックスコンバータの交流スイッチ回路を構成する上で、逆耐圧を有するスイッチング素子が必要で、逆耐圧のダイオードを直列に接続すると順方向電圧降下が高くなり、効率の低下を招く問題がある。【０００６】  本発明の交流交流電力変換回路は、交流電源から直流出力を得る整流部では、ダイオードブリッジ整流動作と同じ期間だけ対応するスイッチング素子を通電制御するために、スイッチングノイズの発生やスイッチング損失等スイッチングに伴う問題を低減することができる。
【発明の開示】
【発明が解決しようとする課題】
【００７】  本発明は、交流電源から、ダイオードブリッジ整流回路と同じスイッチング動作信号を与えることにより、順逆変換可能な全波整流動作により得られた直流電源に対してＰＷＭインバータ制御により、交流電源と交流負荷間で双方向電力授受可能な交流出力を得ることにより、直流回路部での電解コンデンサを不要とすると共に、交流電源に接続される整流回路部におけるスイッチング損失の抑えた交流交流電力変換装置を提供することを目的とする。
【課題を解決するための手段】
【００８】    資料１
【図面の簡単な説明】
【００９】
【図１】本発明の交流交流電力変換装置の基本構成例である。
【符号の説明】
【００１０】  １…交流回路（交流電源）
２…交流負荷
３…電圧形インバータ回路（電圧形コンバータ）
４…電圧形インバータ回路
５…スナバー回路（コンデンサと抵抗回路）
６…電流検出器
７…電源同期信号検出回路
８…電源同期一定通流幅制御信号発生部
９…ＰＷＭ制御信号発生部
【図１】
2008048587.tif 000003
(57)【要約】【課題】河川に架設された送電線に、クレーンを搭載した船が誤ってクレーンを立てたまま通過することにより、送電線にクレーンが接触し、送電線が短絡もしくは切断することによる停電を比較的安価にかつ確実に対策でき、また、すぐに実施できる技術の発明が課題であった。【解決手段】河川の両岸に設置された鉄塔と送電線の組を、十分に離れた場所に、もう一組もしくは、それ以上設置し、各々の岸にある鉄塔同士を、新たな送電線で結ぶことにより、大きな並列回路にし、河川にかかる送電線のうち、一つが短絡もしくは切断されたとしても、残りの送電線で送電できるように、岸を結ぶ送電線の端には、ブレーカなどを設置することにより、上記課題を解決する。【選択図】図１
2008048586.tif 000002
【特許請求の範囲】
【請求項１】
送電路を複数にし、並列に接続することを特徴とする、送電冗長化方式。
【発明の詳細な説明】
【技術分野】
【００１】本発明は、送電線が切断されても、停電することなく、安定的に電力を供給する技術に関する。
【発明の開示】
【発明が解決しようとする課題】
【００２】２００６年８月に起こった東京の大停電に見られるように、河川に架設された送電線に、クレーンを搭載した船が誤ってクレーンを立てたまま通過することにより、送電線にクレーンが接触し、送電線が短絡もしくは切断し、大停電が起こったが、この種の事故を比較的安価にかつ確実に対策でき、また、すぐに実施できる技術の発明が課題であった。
【課題を解決するための手段】
【００３】河川の両岸に設置された鉄塔と送電線の組を、十分に離れた場所に、もう一組もしくは、それ以上設置し、各々の岸にある鉄塔同士を、新たな送電線で結ぶことにより、大きな並列回路にし、河川にかかる送電線のうち、一つが短絡もしくは切断されたとしても、残りの送電線で送電できるように、岸を結ぶ送電線の端には、ブレーカなどを設置することにより、上記課題を解決する。
【発明の効果】
【００４】本技術は、現在、電気事業者が行っているように「送電線注意」などの看板を設置したり、送電線の色を目立つ色にしたり、各船舶事業者に注意を喚起したりするような、人為的かつ事前の予防策に比べ、技術的に確実に停電を対策でき、また、同じ送電線と鉄塔を、部分的に複数用意するだけなので、すぐに実施でき、別の発電所および送電ルートを作成するよりも安価に実現でき、また、本発明は、河川に限らず、交通量の多い道路の上空に架設された送電線にも適用できる。
【発明を実施するための最良の形態】
【００５】図１に本発明の最適な実施例を示しており、本発明の実施前は、送電元から、鉄塔Ａおよび鉄塔Ｄを経由し、送電先に電力供給が行われていたが、これだけの場合、クレーン船の不注意により、クレーンが鉄塔Ａ−Ｄ間の送電線に接触した場合、短絡もしくは切断となり、停電となっていたが、鉄塔Ａ側にブレーカを設置し、さらに、船舶が停止できるよう、十分に離れた距離に鉄塔Ｂおよび鉄塔Ｃを設置し、さらに鉄塔Ｂ側にも、ブレーカを設置し、鉄塔Ｂ−Ｃ、および、鉄塔Ａ−Ｂ間、および、鉄塔Ｃ−Ｄ間に送電線を架設し、並列な構造にすれば、通常時は、鉄塔Ｂ−Ｃ間も含み、すべの送電線に電流が流れているが、鉄塔Ｂ−Ｃ間、もしくは鉄塔Ａ−Ｄ間の送電線のいずれかが、クレーン船などにより、短絡もしくは切断されたとしても、ブレーカが作動して、他方の送電線に自動的に全ての電流が流れるので、送電元、送電先には、事故による影響はほとんどなくなる。
【図面の簡単な説明】
【図１】本発明を利用し、送電線の冗長化をした状態を、上空から見た図である。
【図１】
2008048586.tif 000003
(57)【要約】【課題】ノートパソコンの有益性は持ち運べることだが、それが長時間の場合はＡＣ充電装置も持ち歩く必要がある。しかしながらＡＣ充電装置を使えば電源ケーブルの取り回しなどで邪魔と感じられる場面が少なくない。本発明は、これらの問題点を解決するためになされたものである。【解決手段】ノートパソコンへの充電を無接点方式とする。  【選択図】図１
2008048559.tif 000002
【特許請求の範囲】
【請求項１】
無接点充電方式を採用したノートパソコン。
【発明の詳細な説明】
【技術分野】
【０００１】
本発明は、無接点充電方式を採用したノートパソコンに関するものである。
【背景技術】
【０００２】
無接点充電方式の機器は接点がないため、ホコリや汚れ、防水性などに優れていることが知られている。
【特許文献１】公開番号 : 特許公開平１０−１４１２６ ６
【発明の開示】
【発明が解決しようとする課題】
【０００３】
ノートパソコンの有益性は持ち運べることだが、それが長時間の場合はＡＣ充電装置も持ち歩く必要がある。しかしながらＡＣ充電装置を使えば電源ケーブルの取り回しなどで邪魔と感じられる場面が少なくない。本発明は、これらの問題点を解決するためになされたものである。
【課題を解決するための手段】
【０００４】
ノートパソコンへの充電を無接点方式とする。
【発明の効果】
【０００５】
本発明のノートパソコンは無接点充電方式の機器から充電が可能なため、それに対応した機器上ではどこでも充電可能な状態となる。それにより従来のＡＣ充電装置は不要となり、それを持ち運ぶ必要がなくなる。加えて、防水性にも優れているため従来よりも清掃が簡単で、かつ清潔に保つことが可能である。
【発明を実施するための最良の形態】
【０００６】
ノートパソコンへの充電を無接点方式とする。
【実施例１】
【０００７】
図１は、本発明装置の１つの実施例の図である。１はノートパソコンの表側を示した図。２はノートパソコンの裏側を示した図である。２に設置された３の領域が、無接点充電が可能な機器の上に置かれると、ノートパソコンへ充電が開始される。
【産業上の利用可能性】
【０００８】
本発明により、ノートパソコンの台数分だけ必要であったＡＣ充電器を削減し、デスク周りのケーブル取り回しをスリム化することが可能である。またコンセントにさしっぱなし状態で放置されている充電器が不要となるので、省エネルギーに貢献することになる。加えて、スリム化されることによりケーブルにつまずくことや漏電などの事故を未然に防止することを可能とする。
【図面の簡単な説明】
【０００９】
【図１】コードレスパソコンの実施方法を示した説明図である。（実施例１）
【符号の説明】
【００１０】
１    ノートパソコン表側
２    ノートパソコン裏側
３    無接点充電方式による充電が可能な領域
【図１】
2008048559.tif 000003